(57)【要約】【課題】用紙経路切換に必要なスペースが小さい用紙経路切換装置を提供する。【解決手段】搬送経路２１０と、分岐部２２０と、水平搬送経路２３０と、分岐搬送経路２４０と、搬送経路２１０の分岐部２２０に隣接する位置に配置され、用紙Ｓに接触して回転駆動されるローラー３７１と、搬送経路２１０において用紙Ｓが接触する下側部分を構成し、上側に向けて立ち上がるとともに用紙の搬送方向に沿って延長形成されてローラー３７１との間に用紙Ｓを挟む複数のリブ２１１、２１２を備えた下側壁部２１３と、分岐部２２０における搬送経路との反対側位置に回動支点２６１を備え、用紙が搬送経路と水平搬送経路と間で移動できる第１位置、および用紙が搬送経路から分岐搬送経路に移動できる第２位置に配置可能な用紙ガイド板２６０と、を備える。【選択図】図１
2014172685.tif 000002
【特許請求の範囲】
【請求項１】
水平方向に配置された搬送経路、この搬送経路に分岐部で接続されて水平方向に延長される水平搬送経路、および前記搬送経路に分岐部で接続されて斜め下方に向けて延長される分岐搬送経路を備え、前記搬送経路からの用紙を前記水平搬送経路および前記分岐搬送経路のいずれか一方に搬送するとともに、前記水平搬送経路からの前記用紙を前記搬送経路に搬送する用紙経路切換装置において、
前記搬送経路の前記分岐部に隣接する位置に配置され、前記用紙に接触して回転駆動されるローラーと、
前記搬送経路において前記用紙が接触する下側部分を構成し、上側に向けて立ち上がるとともに前記用紙の搬送方向に沿って延長形成されて前記ローラーとの間に前記用紙を挟む複数のリブを備えた下側壁部と、
前記分岐部における前記搬送経路との反対側位置に回動支点を備え、前記用紙が前記搬送経路と前記水平搬送経路と間で移動できる第１位置、および前記用紙が前記搬送経路から前記分岐搬送経路に移動できる第２位置に配置可能な用紙ガイド板と、
を備えることを特徴とする用紙経路切換装置。
【請求項２】
前記ローラーを正転駆動または逆転駆動するローラー駆動手段を備えることを特徴とする請求項１に記載の用紙経路切換装置。
【請求項３】
搬送される最小サイズ用紙の幅寸法より小さい前記ローラーを１つ備え、
前記搬送経路の前記下側壁部には、前記ローラーを挟む両側位置に前記リブを備えることを特徴とする請求項１または請求項２に記載の用紙経路切換装置。
【請求項４】
前記搬送される最小サイズの用紙幅寸法より小さい範囲内に、複数の前記ローラーを備え、
前記搬送経路の前記下側壁部には、複数の前記ローラーの間、および両端に配置した前記ローラーの外側に前記リブを備えることを特徴とする請求項１または請求項２に記載の用紙経路切換装置。
【請求項５】
前記リブは複数が配置され、各リブは前記分岐部に向かうにしたがって搬送される前記用紙の中央線に近づくように前記用紙の搬送方向に沿って配置されるとともに、選択された複数のリブは互いに平行に配置されていることを特徴とする請求項３または請求項４に記載の用紙経路切換装置。
【請求項６】
前記リブは複数が配置され、各リブは前記分岐部に向かうにしたがって搬送される前記用紙の中央線に近づくように前記用紙の搬送方向に沿って配置されるとともに、かつ選択された複数のリブは放射状に配置されていることを特徴とする請求項３または請求項４に記載の用紙経路切換装置。
【請求項７】
請求項１から請求項６のいずれか一項に記載の用紙経路切換装置と、前記用紙経路切換装置で分岐される前記用紙に画像を形成する画像形成手段を備えることを特徴とする画像形成装置。
【発明の詳細な説明】
【技術分野】
【０００１】
本発明は、搬送される用紙の搬送経路を切り換える用紙経路切換装置、およびこの用紙経路切換装置を備えた画像形成装置に関する。
【背景技術】
【０００２】
プリンタや複写機等の画像形成装置では、搬送される用紙の搬送経路を切り換えることがあり、この用紙の搬送経路の切換は、用紙経路切換装置で行われる。用紙搬送経路の切換は、両面印刷を行うときの用紙の搬送、印刷処理が完了した後におけるソートやとじ処理を行う用紙後処理装置への用紙の搬送に必要となる。このような用紙経路切換装置では安定した動作と、低コスト化が要求され各種の提案がなされている。
【０００３】
特許文献１には、搬送される用紙を少なくとも２方向のいずれかに選択して用紙の搬送方向を変換する用紙搬送方向変換装置が記載されている。この用紙搬送方向変換装置は、用紙を挟持して搬送する一対の搬送部材を複数の搬送路の分岐部に配置し、該一対の搬送部材を移動、揺動することにより一対の搬送部材の挟持部を各搬送路の入口に選択的に対向させて用紙搬送方向を変換させ用紙の搬送方向を変えるものである。
【発明の概要】
【発明が解決しようとする課題】
【０００４】
しかし、特許文献１に記載の用紙経路切換装置は、対向ローラーを使用し、かつ対向ローラー自体を移動させるための駆動源を必要とする他、対向ローラーを移動させるスペースや、駆動源を配置するためのスペースが必要となり装置が大型化するという問題がある。
【０００５】
本発明は上述の点にかんがみてなされたものであり、用紙の搬送経路の変換に必要なスペースが小さい用紙経路切換装置を提供することを目的とする。
【課題を解決するための手段】
【０００６】
上記課題を解決するための用紙経路切換装置は、水平方向に配置された搬送経路に分岐部で接続されて水平方向に延長される水平搬送経路、および前記搬送経路に分岐部で接続されて斜め下方に向けて延長される分岐搬送経路を備え、前記搬送経路からの用紙を前記水平搬送経路および前記分岐搬送経路のいずれか一方に搬送するとともに、前記水平搬送経路からの前記用紙を前記搬送経路に搬送する用紙経路切換装置において、前記搬送経路の前記分岐部に隣接する位置に配置され、前記用紙に接触して回転駆動されるローラーと、前記搬送経路において前記用紙が接触する下側部分を構成し、上側に向けて立ち上がるとともに前記用紙の搬送方向に沿って延長形成されて前記ローラーとの間に前記用紙を挟む複数のリブを備えた下側壁部と、前記分岐部における前記搬送経路との反対側位置に回動支点を備え、前記用紙が前記搬送経路と前記水平搬送経路と間で移動できる第１位置、および前記用紙が前記搬送経路から前記分岐搬送経路に移動できる第２位置に配置可能な用紙ガイド板と、を備えることを特徴とする。
【発明の効果】
【０００７】
本発明に係る用紙経路切換装置によれば、対向ローラーを必要としない単一のローラーで用紙の分岐搬送ができ、また、ローラー自体の切り換え動作を必要とせず、用紙経路切換装置を小さなスペースで配置でき、ひいては画像形成装置の小型化を達成できる。
【図面の簡単な説明】
【０００８】
【図１】本発明に係る用紙経路切換装置を備えることができる画像形成装置の概略断面図である。
【図２】本発明に係る用紙経路切換装置の実施形態１に係る用紙経路切換装置の構成を示す模式図である。
【図３】同用紙経路切換装置の構成を示す模式図である。
【図４】同用紙経路切換装置における用紙の経路を示す模式図である。
【図５】同用紙経路切換装置における用紙の経路を示す模式図である。
【図６】同用紙経路切換装置の構成を示す斜視図である。
【図７】同用紙経路切換装置の構成を示す図６中の矢印Ｃ方向からの矢視図である。
【図８】本発明に係る用紙経路切換装置の実施形態２に係る用紙経路切換装置の構成を示す斜視図である。
【図９】同用紙経路切換装置の構成を示す図８中の矢印Ｅ方向からの矢視図である。
【図１０】本発明に係る用紙経路切換装置の実施形態３に係る用紙経路切換装置の構成を示す斜視図である。
【図１１】同用紙経路切換装置の構成を示す図１０中の矢印Ｆ方向からの矢視図である。
【図１２】本発明に係る用紙経路切換装置の実施形態４に係る用紙経路切換装置の構成を示す斜視図である。
【図１３】同用紙経路切換装置の構成を示す図１２中の矢印Ｇ方向からの矢視図である。
【発明を実施するための形態】
【０００９】
本発明を実施するための形態に係る用紙搬送方向変換装置、および画像形成装置について説明する。まず、本発明に係る用紙経路切換装置を備えることができる画像形成装置について説明する。図１は本発明に係る用紙経路切換装置を備えることができる画像形成装置の概略断面図である。
【００１０】
この画像形成装置１００は、タンデム型の電子写真色複写機である。画像形成装置１００は、複写装置本体１１０、給紙テーブル１２０、スキャナ１３０、および原稿自動搬送装置（ＡＤＦ）１４０を備える。画像形成装置１００において、複写装置本体１１０を給紙テーブル１２０上に載せ、複写装置本体１１０上にスキャナ１３０を取り付け、さらにその上にＡＤＦ１４０を取り付けてある。
【００１１】
複写装置本体１１０には、中央に無端ベルト状の中間転写体１０を設けて３つの支持ローラー１４、１５、１６にかけ回し、図中時計回りに回転搬送可能としてある。なおこの例では、３つの支持ローラー１４、１５、１６のうちの第２の支持ローラー１５の左に、画像転写後に中間転写体１０上に残留する残留トナーを除去する中間転写体クリーニング装置１７が設けてある。
【００１２】
また、３つの支持ローラー１４、１５、１６のうちの第１の支持ローラー１４と第２の支持ローラー１５の間に、中間転写体１０上に位置するように、画像形成手段１８を横に並べて配置してタンデム作像装置２０を構成する。画像形成手段１８は、中間転写体１０の搬送方向に沿ってイエロー、シアン、マゼンタ、ブラックの順に配置する。タンデム作像装置２０の上方には、図示のように露光装置２１が設けてある。
【００１３】
一方、中間転写体１０を挟んでタンデム作像装置２０の反対側には、２次転写装置２２を備えている。２次転写装置２２は、図示の例では、２つのローラー２３間に無端ベルトである２次転写ベルト２４を掛け渡して構成してある。中間転写体１０を介して第３の支持ローラー１６に２次転写ベルト２４を押し当てるように配置し、中間転写体１０上の画像を転写材である用紙に転写するようになっている。
【００１４】
２次転写装置２２の横には、用紙上の転写画像を定着する定着装置２５が設けてある。定着装置２５は、無端ベルトである定着ベルト２６に加圧ローラー２７を押し当てて構成してある。上述した２次転写装置２２は、画像転写後の用紙をこの定着装置２５へと搬送する用紙搬送機能を備えている。もちろん、２次転写装置２２として、転写ローラーや非接触のチャージャを配置してもよいが、そのような場合は、この用紙搬送機能を併せて備えることは難しくなる。
【００１５】
なお図示の例では、このような２次転写装置２２および定着装置２５の下側に、上述したタンデム作像装置２０と平行にして、用紙の両面に画像を記録するために用紙を反転させる用紙反転装置２８を備えている。
【００１６】
このカラー電子写真装置を用いてコピーをとる際の動作を説明する。原稿自動搬送装置１４０の原稿台３０上に原稿をセットするか、または原稿自動搬送装置１４０を開いてスキャナ１３０のコンタクトガラス３２上に原稿をセットし、原稿自動搬送装置１４０を閉じてそれで押さえる。
【００１７】
そして、図示していないスタートスイッチを押すと、原稿自動搬送装置１４０に原稿をセットしたときは、原稿を搬送してコンタクトガラス３２上へと移動させた後、他方、コンタクトガラス３２上に原稿をセットしたときは、直ちにスキャナ１３０を駆動する。そして、第１走行体３３および第２走行体３４を走行させる。そして、第１走行体３３で光源から光を発射するとともに原稿面からの反射光をさらに反射して第２走行体３４に向け、第２走行体３４のミラーで反射して結像レンズ３５を通して読み取りセンサー３６に入れ、原稿内容を読み取る。
【００１８】
また、図示していないスタートスイッチを押すと、これも図示していない駆動モータで支持ローラー１４、１５、１６の１つを回転駆動して他の２つの支持ローラーを従動回転させ、中間転写体１０を回転搬送する。同時に、個々の画像形成手段１８で感光体４０を回転させ、各感光体４０上にそれぞれブラック、イエロー、マゼンタ、シアンの単色画像を形成する。そして、中間転写体１０の搬送とともに、それらの単色画像を順次転写して中間転写体１０上に合成カラー画像を形成する。
【００１９】
一方、スタートスイッチを押すと、給紙テーブル１２０の給紙ローラー４２の１つが選択されて回転し、ペーパーバンク４３に多段に備える給紙カセット４４の１つから用紙を繰り出し、分離ローラー４５で１枚ずつ分離して給紙路４６に入れる。さらに、用紙を搬送ローラー４７で搬送して複写装置本体１１０内の給紙路４８に導き、レジストローラー４９に突き当てて止める。手差しトレイ５１から給紙するときは、給紙ローラー５０を回転して手差しトレイ５１上の用紙を繰り出し、分離ローラー５２で１枚ずつ分離して手差し給紙路５３に入れ、同じくレジストローラー４９に突き当てて止める。
【００２０】
そして、中間転写体１０上の合成カラー画像にタイミングを合わせてレジストローラー４９を回転させ、中間転写体１０と２次転写装置２２との間に用紙を送り込み、２次転写装置２２で転写して用紙上にカラー画像を記録する。
【００２１】
画像転写後の用紙は、２次転写装置２２で搬送して定着装置２５へと送り込み、定着装置２５で熱と圧力とを加えて転写画像を定着させた後、用紙経路切換装置２００で切り換えて排出ローラー５６で排出し、排紙トレイ５７上にスタックする。または、用紙経路切換装置２００で切り換えて用紙反転装置２８に入れ、そこで反転させて再び転写位置へと導き、裏面にも画像を記録した後、排出ローラー５６で排紙トレイ５７上に排出する。このように、画像形成装置１００において、用紙経路切換装置２００は、用紙反転装置２８に用紙を搬送する箇所に用いられる。
【００２２】
＜実施形態１＞
次に本発明に係る用紙経路切換装置の実施形態１に係る用紙経路切換装置について説明する。図２は本発明に係る用紙経路切換装置の実施形態１に係る用紙経路切換装置の構成を示す模式図、図３は同用紙経路切換装置の構成を示す模式図である。また、図４、図５は同用紙経路切換装置における用紙の経路を示す模式図、図６は同用紙経路切換装置の構成を示す斜視図、図７は同用紙経路切換装置の構成を示す図６中の矢印Ｄ方向からの矢視図である。
【００２３】
本発明の実施形態１に係る用紙経路切換装置２００は、図２および図３に示すように、搬送経路２１０と、分岐部２２０と、水平搬送経路２３０と、分岐搬送経路２４０とを備える。搬送経路２１０は、用紙Ｓが搬入される経路であり水平方向に配置される。分岐部２２０は、搬送経路２１０を水平搬送経路２３０と分岐搬送経路２４０に分岐する。水平搬送経路２３０は、搬送経路２１０に分岐部２２０で接続されて水平方向に延長される。分岐搬送経路２４０は、分岐部２２０で接続されて斜め下方に向けて延長される。
【００２４】
このような経路に用紙Ｓを搬送することにより、用紙経路切換装置２００は、搬送経路２１０からの用紙経路切換装置２００を水平搬送経路２３０および前記分岐搬送経路２４０のいずれか一方に搬送することができる。また、水平搬送経路２３０からの用紙Ｓを搬送経路２１０に搬送する。
【００２５】
また、用紙経路切換装置２００は、ローラー部材２５０と、用紙ガイド板２６０とを備える。ローラー部材２５０は、図６および図７に示すように、回転軸２５２と、この回転軸２５２に配置された１つのローラー２５１とから構成される。ローラー部材２５０は、回転軸２５２を搬送経路２１０の分岐部２２０に隣接する位置に配置され、ローラー２５１が用紙Ｓに接触して回転駆動されるローラー部材２５０を備える。
【００２６】
ローラー部材２５０は回転軸２５２とこの回転軸２５２に配置されたローラー２５１とからなる。ローラー部材２５０は、ローラー駆動手段で時計方向への正転駆動および反時計方向の逆転駆動がなされる。ローラー部材２５０を正転駆動すると搬送経路２１０から水平搬送経路２３０および分岐搬送経路２４０に用紙Ｓを搬送できる。またローラー部材２５０を反転駆動すると水平搬送経路２３０から搬送経路２１０に用紙Ｓを搬送できる。
【００２７】
用紙ガイド板２６０は、分岐部２２０における搬送経路２１０との反対側位置に回動支点２６１を備える、また用紙ガイド板２６０は、駆動手段２７０で駆動される。用紙ガイド板２６０は、駆動手段２７０で駆動されることにより、用紙Ｓを搬送経路２１０と水平搬送経路２３０と間で移動できる第１位置、および用紙Ｓを搬送経路２１０から分岐搬送経路２４０に移動できる第２位置に配置可能である。駆動手段２７０は、ソレノイド２７１と、引っ張りコイルばね２７２とから構成される。なお、図６に示すように、用紙ガイド板２６０の先端に下側壁部２１３に接触する接触片２６２を設けて、用紙Ｓを水平搬送経路２３０側に確実に案内することができる。
【００２８】
ソレノイド２７１が通電されると、図２に示すように、用紙ガイド板２６０は引っ張りコイルばね２７２の引っ張り力に抗して移動して、第１位置に移動する。また、ソレノイド２７１への通電が停止されると、図３に示すように、用紙ガイド板２６０は引っ張りコイルばね２７２の引っ張り力で第２位置に移動する。それぞれの位置において用紙ガイド板２６０は図示していないストッパーでその位置が保持される。
【００２９】
また、搬送経路２１０は、図６および図７に示すように、下側壁部２１３を備える。下側壁部２１３は搬送経路２１０の下側部分をなし用紙搬送時に用紙Ｓが接触する。さらに、下側壁部２１３には、２本のリブ２１１、２１２を形成している。各リブ２１１、２１２は、上側に向けて立ち上がる断面三角形状の突起であり、図７に示すように、その先端位置２１２aがローラー２５１の周面位置２５１aより回転軸２５２側に飛び出る。リブ２１１、２１２は、用紙Ｓの搬送方向に沿ってローラー２５１の両側位置にローラー２５１を挟むように２本が延長形成される。用紙Ｓは、ローラー２５１と、リブ２１１、２１２との間に挟まれて搬送される。このため下側壁部２１３とローラー２５１との間に配置された用紙Ｓは、図７に示すようにリブ２１１、２１２とローラー２５１との間で変形しつつ挟まれる。
【００３０】
用紙ガイド板２６０の先端が第１位置に配置された状態では以下の動作をする。まず、ローラー２５１が時計回り（図４中ＣＷ）に回転されると、搬送経路２１０からの用紙Ｓは搬送経路２１０から水平搬送経路２３０に搬送される（図４中矢印Ａ）。用紙Ｓは、ローラー２５１と、リブ２１１、２１２との間に挟まれて移動する。なお、リブ２１１、２１２およびローラー部材２５０は、図７に示すように、搬送される最小のサイズの用紙幅寸法の範囲内に範囲に配置される必要がある。このため、ローラー２５１の幅寸法は最小サイズ用紙の幅寸法より小さい。
【００３１】
また、ローラー２５１が反時計回り（図２中矢印ＣＣＷ）に駆動されると、用紙Ｓは、ローラー２５１と、リブ２１１、２１２との間に挟まれて水平搬送経路２３０から搬送経路２１０に搬送される（図４中矢印Ｂ）。
【００３２】
一方、用紙ガイド板２６０が第２位置（図３参照）に配置された状態で、ローラー２５１が時計回り（図５中矢印ＣＣＷ）に駆動されると、用紙Ｓは、搬送経路２１０から分岐搬送経路２４０に搬送される（図５中矢印Ｃ）。このとき、用紙Ｓはローラー２５１と、リブ２１１、２１２との間に挟まれて移動する。
【００３３】
＜実施形態２＞
次に実施形態２に係る用紙経路切換装置について説明する。図８は本発明に係る用紙経路切換装置の実施形態２に係る用紙経路切換装置の構成を示す斜視図、図９は同用紙経路切換装置の構成を示す図８中の矢印Ｅ方向からの矢視図である。
【００３４】
実施形態２に係る用紙経路切換装置３００は、実施形態１の用紙経路切換装置２００と同様に搬送経路２１０、分岐部２２０、水平搬送経路２３０、分岐搬送経路２４０、用紙ガイド板２６０を備える。用紙経路切換装置３００は、ローラー部材３１０の回転軸３１３に２つのローラー３１１、３１２を配置した点と、搬送経路２１０の下側壁部２１３に、３本のリブ３２１、３２２、３２３を形成した点において実施形態１の用紙経路切換装置２００と異なる。
【００３５】
実施形態２に係る用紙経路切換装置３００において、ローラー部材３１０は、回転軸３１３に２つのローラー３１１、３１２を、隙間を隔てて配置している。また、搬送経路２１０の下側壁部２１３には、ローラー３１１、３１２の両端の外側に配置され、ローラー３１１、３１２を挟むリブ３２１、３２３と、ローラー３１１、３１２の間に配置したリブ３２２とを配置している。各ローラー３１１、３１２とリブ３２１、３２２、３２３は搬送される最大サイズの用紙Ｓの範囲に収まるように配置している。本実施形態に係る用紙経路切換装置３００によれば、幅広の用紙も安定して搬送することができる。
【００３６】
＜実施形態３＞
次に実施形態３に係る用紙経路切換装置について説明する。図１０は本発明に係る用紙経路切換装置の実施形態３に係る用紙経路切換装置の構成を示す斜視図、図１１は同用紙経路切換装置の構成を示す図１０中の矢印Ｆ方向からの矢視図である。実施形態３に係る用紙経路切換装置３３０は、ローラー部材３４０に４つのローラー３４１、３４２、３４３、３４４を備える他、搬送経路２１０の下側壁部２１３に複数、すなわち６本配置されたリブ３５１、３５２、３５３、３５４、３５５、３５６を備える。
【００３７】
すなわち、ローラー部材３４０は、回転軸３４５に互いに間隔を開けて４つのローラー３４１、３４２、３４３、３４４を配置している。また、リブ３５１、３５２、３５３、３５４、３５５、３５６は、図１０に示すように分岐部２２０に向かうにしたがって搬送される前記用紙の中央線（図中Ｏ）に近づくように前記用紙の搬送方向に沿って配置される。また、選択された複数、すなわち３本のリブ３５１、３５２、３５３、およびリブ３５４、３５５、３５６は互いに平行に配置されている。
【００３８】
実施形態３に係る用紙経路切換装置３３０によれば、４つのローラー３４１、３４２、３４３、３４４とリブ３５１、３５２、３５３、３５４、３５５、３５６との間に用紙Ｓを挟むことで、大きなサイズの用紙に対して大きな搬送力で搬送することができる。また、リブ３５１、３５２、３５３、３５４、３５５、３５６を広がるように配置したので、用紙の搬送にしたがって用紙先端を外側へ広げる力を与え用紙の耳折れを防止できる。
【００３９】
＜実施形態４＞
次に実施形態４に係る用紙経路切換装置について説明する。図１２は本発明に係る用紙経路切換装置の実施形態４に係る用紙経路切換装置の構成を示す斜視図、図１３は同用紙経路切換装置の構成を示す図１２中の矢印Ｇ方向からの矢視図である。実施形態４に係る用紙経路切換装置３６０は、ローラー部材３７０に４つのローラー３７１、３７２、３７３、３７４を備える他、搬送経路２１０の下側壁部２１３に複数、すなわち６本のリブ３８１、３８２、３８３、３８４、３８５、３８６を備える。
【００４０】
実施形態４に係る用紙経路切換装置３６０によれば、４つのローラー３７１、３７２、３７３、３７４とリブ３８１、３８２、３８３、３８４、３８５、３８６との間に用紙Ｓを挟むことで、大きなサイズの用紙に対して大きな搬送力で搬送することができる。また、リブ３８１、３８２、３８３、３８４、３８５、３８６を放射状に配置したので、用紙の搬送にしたがって用紙先端を外側へ広げる力を与え用紙の耳折れを防止できる。
【符号の説明】
【００４１】
１００：画像形成装置
１１０：複写装置本体
１２０：給紙テーブル
１３０：スキャナ
１４０：原稿自動搬送装置
２００：用紙経路切換装置
２１０：搬送経路
２１１、２１２：リブ
２１２a：先端位置
２１３：下側壁部
２２０：分岐部
２３０：水平搬送経路
２４０：分岐搬送経路
２５０：ローラー部材
２５１a：周面位置
２５１：ローラー
２５２：回転軸
２６０：用紙ガイド板
２６１：回動支点
２７０：駆動手段
２７１：ソレノイド
２７２：コイルばね
【先行技術文献】
【特許文献】
【００４２】
【特許文献１】特開昭５９−１１４２５６
【図１】
2014172685.tif 000003
【図２】
2014172685.tif 000004
【図３】
2014172685.tif 000005
【図４】
2014172685.tif 000006
【図５】
2014172685.tif 000007
【図６】
2014172685.tif 000008
【図７】
2014172685.tif 000009
【図８】
2014172685.tif 000010
【図９】
2014172685.tif 000011
【図１０】
2014172685.tif 000012
【図１１】
2014172685.tif 000013
【図１２】
2014172685.tif 000014
【図１３】
2014172685.tif 000015